(57)【特許請求の範囲】
【請求項１】
スパイラル状に伸びて連結された複数のトラックを有し、各トラックは複数のセクタからなる光ディスクにデータを記録する光ディスク装置のデータ記録時のレーザ出力パワーである記録パワーを決定する方法であって、
複数の記録パワーの値を設定する第１のステップと、
各設定値の記録パワーで所定領域内の複数セクタに所定のデータを記録し、データ記録後の各セクタからデータを再生して各セクタ毎に再生信号の品質を検出する第２のステップと、
再生信号品質が所定の条件を満たすセクタが所定数以上得られるときの記録パワーの設定値のうち、再生信号品質が所定の条件を満たすセクタが所定数以上得られないときの記録パワーの設定値に最も近い記録パワーの設定値である第１の設定値と、
再生信号品質が所定の条件を満たすセクタが所定数以上得られないときの記録パワーの設定値のうち、再生信号品質が所定の条件を満たすセクタが所定数以上得られるときの記録パワーの設定値に最も近い記録パワーの設定値である第２の設定値と、
を求め、前記第１及び第２の設定値に基いて前記記録パワーを決定する第３のステップと、を有し、
前記記録パワーとして、ピークパワーを決定する場合、
前記第３のステップにて、前記第１の設定値と前記第２の設定値の平均値に一定の割合を乗じることによりマージンを付加した値を、最適なピークパワーとして決定し、
前記記録パワーとして、バイアスパワーを決定する場合、
前記バイアスパワーの下限値と上限値のそれぞれを求める処理において、前記第１から第３のステップをそれぞれ実行し、
前記下限値を求める処理における第３のステップにて、第１の設定値と第２の設定値の平均値を、バイアスパワーの下限値として決定し、
前記上限値を求める処理における第３のステップにて、第１の設定値と第２の設定値の平均値を、バイアスパワーの上限値として決定し、
前記下限値と上限値を所定比に内分した値を、最適なバイアスパワーとして決定する
光ディスク装置の記録パワー決定方法。
【請求項２】
前記再生信号品質として、再生信号のエラーレート又はジッターを検出することを特徴とする請求項１記載の光ディスク装置の記録パワー決定方法。
【請求項３】
再生品質が所定の不良条件を満たすセクタの検出結果を、前記記録パワーの決定のために用いる検出結果から除外することを特徴とする請求項１記載の光ディスク装置の記録パワー決定方法。
【請求項４】
前記所定のデータを記録する際に、前回に記録されたデータと異なるデータを各セクタに記録することを特徴とする請求項１記載の光ディスク装置の記録パワー決定方法。
【請求項５】
前記所定のデータを記録する際に、各セクタに記録されているデータを一旦消去した後に所定のデータを各セクタに記録することを特徴とする請求項１記載の光ディスク装置の記録パワー決定方法。
【請求項６】
スパイラル状に伸びて連結された複数のトラックを有し、各トラックは複数のセクタからなる光ディスクにデータを記録する光ディスク装置であって、
データ記録時のレーザ出力パワーである記録パワーの値を複数設定する第１のステップを実行する設定手段と、
各設定値の記録パワーで所定領域内の複数セクタに所定のデータを記録し、データ記録後の各セクタからデータを再生して各セクタ毎に再生信号の品質を検出する第２のステップを実行する記録・検出手段と、
再生信号品質が所定の条件を満たすセクタが所定数以上得られるときの記録パワーの設定値のうち、再生信号品質が所定の条件を満たすセクタが所定数以上得られないときの記録パワーの設定値に最も近い記録パワーの設定値である第１の設定値と、
再生信号品質が所定の条件を満たすセクタが所定数以上得られないときの記録パワーの設定値のうち、再生信号品質が所定の条件を満たすセクタが所定数以上得られるときの記録パワーの設定値に最も近い記録パワーの設定値である第２の設定値と、
を求め、前記第１及び第２の設定値に基いて前記記録パワーを決定する第３のステップを実行する決定手段と
を備え、
前記決定手段は、
前記記録パワーとして、ピークパワーを決定する場合、
前記第３のステップにて、前記第１の設定値と前記第２の設定値の平均値に一定の割合を乗じることによりマージンを付加した値を、最適なピークパワーとして決定し、
前記記録パワーとして、バイアスパワーを決定する場合、
前記バイアスパワーの下限値と上限値のそれぞれを求める処理において、前記第１から第３のステップをそれぞれ実行し、
前記下限値を求める処理における第３のステップにて、第１の設定値と第２の設定値の平均値を、バイアスパワーの下限値として決定し、
前記上限値を求める処理における第３のステップにて、第１の設定値と第２の設定値の平均値を、バイアスパワーの上限値として決定し、
前記下限値と上限値を所定比に内分した値を、最適なバイアスパワーとして決定する
ことを特徴とする光ディスク装置。
【請求項７】
前記記録・検出手段は、再生信号品質として、再生信号のエラーレート又はジッターを検出することを特徴とする請求項６記載の光ディスク装置。
【請求項８】
前記決定手段は、再生品質が所定の不良条件を満たすセクタの検出結果を、前記記録パワーの決定のために用いる検出結果から除外することを特徴とする請求項６記載の光ディスク装置。
【請求項９】
前記記録・検出手段は、前記所定のデータを記録する際に、前回に記録されたデータと異なるデータを各セクタに記録することを特徴とする請求項６記載の光ディスク装置。
【請求項１０】
前記記録・検出手段は、前記所定のデータを記録する際に、各セクタに記録されているデータを一旦消去した後に所定のデータを各セクタに記録することを特徴とする請求項６記載の光ディスク装置。
【発明の詳細な説明】
【０００１】
【発明の属する技術分野】
本発明は光ディスク装置に関し、特に、レーザ光を光ディスク媒体に照射することで情報の記録を行う光ディスク装置においてデータ記録に好適な記録パワーの設定技術に関する。
【０００２】
【従来の技術】
近年、光ディスク装置は大容量のデータを記録再生する手段として盛んに開発が行われ、より高い記録密度を達成するためのアプローチがなされており、その中の一つの方式に、結晶−非結晶間の可逆的な状態変化を利用した相変化型光ディスク装置がある。
【０００３】
相変化型の光ディスク装置では、結晶部をアモルファス化するピークパワーと、アモルファス部を結晶化するバイアスパワーの２つのパワーで半導体レーザを光ディスク媒体に照射させることにより、光ディスク媒体上にマーク（アモルファス部）と、マークに挟まれたスペース（結晶部）を形成する。
【０００４】
マークとスペースでは反射率が異なるので、再生時にはこの反射率の違いを利用して記録された信号を読み出す。
【０００５】
図１０に従来例における相変化型光ディスク装置の構成を示す。図１０において、光ディスク装置は、光ヘッド１００２、再生手段１００３、再生信号品質検出手段１００４、最適記録パワー決定手段１００５、記録手段１００６、レーザ駆動回路１００７及び記録パワー設定手段１００８からなる。
【０００６】
図１１に従来例における光ディスク１００１のトラック構成図を示す。光ディスク１００１は溝状のトラック（グルーブトラック１１０１）と溝間のトラック（ランドトラック１１０２）の双方に記録領域を有し、前記グルーブトラック、ランドトラックが一周おきに交代することによって連続スパイラル状につながった光ディスクである。
【０００７】
光ディスク装置は、光ディスク１００１が新たに光ディスク装置に装着された時点で、そのディスク１００１の所定領域に試し記録を行なうことにより、そのディスク１００１に対してデータ記録のために照射するレーザパワーの最適値を設定する。
【０００８】
このため、光ディスク１００１が光ディスク装置に装着されると、ディスクタイプの識別や回転制御等の所定の動作の終了後、光ヘッド１００２が最適照射パワーを設定するための領域に移動する。
【０００９】
決定するパワーとしては相変化型光ディスク装置では、ピークパワーやバイアスパワーがあるが、ここではピークパワーの決定方法について説明する。
【００１０】
まず記録パワー設定手段１００８により、ピークパワー、バイアスパワーの初期値がレーザ駆動回路１００７に設定される。このときランドトラックを記録する際のパワーとグルーブトラックを記録する際のパワーは等しい。
【００１１】
続いて記録手段１００６から、所定の位置よりランドトラック１周、グルーブトラック１周を記録するための信号がレーザ駆動回路１００７に送られ、光ヘッド１００２により記録される。このとき光ヘッド１００２の構成要素である半導体レーザの出力光は光ディスク１００１上に光スポットとして集光され、発光波形に応じた記録マークが形成される。
【００１２】
ランドトラック、グルーブトラックの記録が終わると、光ヘッド１００２の半導体レーザは再生パワーで発光し、さきほど記録を行ったトラックを再生し、再生信号として光ディスク１００１上の記録マークの有無により変化する信号１００９が再生手段１００３に入力される。再生信号１００９は再生手段１００３で、増幅、波形等化、２値化等の再生信号処理を受け、信号１０１０が再生信号品質検出手段１００４に入力される。
【００１３】
再生信号品質検出手段１００４は信号１０１０の信号品質を検出し、検出結果を最適記録パワー決定手段１００５に入力する。
【００１４】
ここで再生信号品質検出手段１００４は記録した信号を再生したときのＢＥＲ（バイトエラーレート）を検出する。このとき検出するＢＥＲは再生したトラックの平均値である。図１２にピークパワーとＢＥＲの関係を示す。
【００１５】
図１２において横軸がピークパワーであり、縦軸がＢＥＲである。再生条件が等しければ、一般にＢＥＲが小さいほど正確な記録が行われている。そこでＢＥＲがある閾値以下となるときを検出結果が「ＯＫ（良）」とし、それ以上となるときを検出結果が「ＮＧ（不良）」とする。
【００１６】
最適記録パワー決定手段１００５は例えば図１３に示すフローチャートに従って記録パワー（ピークパワー）を決定する。
【００１７】
光ディスク１００１上の照射パワー設定領域へ光ヘッドが移動し（Ｓ１０１）、記録パワーの初期値が設定される（Ｓ１０２）と、その記録パワーで光ディスク１００１上の照射パワー設定領域にデータが記録され、その記録データが再生される（Ｓ１０３）。その再生信号のＢＥＲを検出することにより、再生信号の品質を検出する（Ｓ１０４）。そのときの検出結果と、前回の検出結果とから、再生信号品質が「ＯＫ」から「ＮＧ」へ、または「ＮＧ」から「ＯＫ」へ切り換わるときの２つのピークパワーを求める（Ｓ１０４〜Ｓ１０８）。それらの２つのピークパワーが求まれば、それらのパワーの値を平均し（Ｓ１０９）、所定のマージンを上乗せした値を最適ピークパワーとする（Ｓ１１０）。
【００１８】
例えば、再生信号品質検出手段１００４による１回目の結果が「ＮＧ」ならば、初期パワーよりも大きいピークパワーを設定し（Ｓ１０８）、１回目の結果が「ＯＫ」ならば初期パワーよりも小さいピークパワーを設定し（Ｓ１０６）、その設定されたピークパワーで前回と同様にランドトラック、グルーブトラックの記録、再生を行う。
【００１９】
そして、再生信号品質検出手段１００４の１回目の結果が「ＮＧ」（Ｓ１０４）、２回目の結果が「ＯＫ」であれば（Ｓ１０７）、最適記録パワー決定手段１００５は今回のピークパワーと前回のピークパワーの平均パワーに一定のマージンを上乗せしたパワーを最適記録パワーと決定する（Ｓ１０９、Ｓ１１０）。
【００２０】
もし、再生信号品質検出手段１００４の１回目の結果が「ＯＫ」（Ｓ１０４）、２回目の結果が「ＮＧ」であれば（Ｓ１０５）、最適記録パワー決定手段１００５は今回のピークパワーと前回のピークパワーの平均パワーに一定のマージンを上乗せしたパワーを最適記録パワーと決定する（Ｓ１０９、Ｓ１１０）。
【００２１】
【発明が解決しようとする課題】
しかしながら上記従来技術では、検出するＢＥＲは再生したトラックでの平均値であるので、例えばＢＥＲを検出するトラック部分に指紋が付着しているときには再生エラーが増大し、検出されるＢＥＲが本来の値よりも大きくなってしまい、結果的に最適なピークパワーよりも高いパワーが設定されるという課題があった。
【００２２】
本発明は、上記問題点に鑑み、記録時の照射パワーを決定するために試し記録を行うトラックに指紋が付着していても、データ記録に好適な記録パワーを求めることができる光ディスク装置及びその記録パワー決定方法を提供することを目的とする。
【００２３】
【課題を解決するための手段】
本発明に係る方法は、スパイラル状に伸びて連結された複数のトラックを有し、各トラックは複数のセクタからなる光ディスクにデータを記録する光ディスク装置に対する、データ記録時のレーザ出力パワーである記録パワーを決定する方法である。その方法は、複数の記録パワーの値を設定する第１のステップと、各設定値の記録パワーで所定領域内の複数セクタに所定のデータを記録し、データ記録後の各セクタからデータを再生して各セクタ毎に再生信号の品質を検出する第２のステップと、再生信号品質が所定の条件を満たすセクタが所定数以上得られるときの記録パワーの設定値のうち、再生信号品質が所定の条件を満たすセクタが所定数以上得られないときの記録パワーの設定値に最も近い記録パワーの設定値である第１の設定値と、再生信号品質が所定の条件を満たすセクタが所定数以上得られないときの記録パワーの設定値のうち、再生信号品質が所定の条件を満たすセクタが所定数以上得られるときの記録パワーの設定値に最も近い記録パワーの設定値である第２の設定値と、を求め、前記第１及び第２の設定値に基いて前記記録パワーを決定する第３のステップと、を有し、前記記録パワーとして、ピークパワーを決定する場合、前記第３のステップにて、前記第１の設定値と前記第２の設定値の平均値に一定の割合を乗じることによりマージンを付加した値を、最適なピークパワーとして決定し、前記記録パワーとして、バイアスパワーを決定する場合、前記バイアスパワーの下限値と上限値のそれぞれを求める処理において、前記第１から第３のステップをそれぞれ実行し、前記下限値を求める処理における第３のステップにて、第１の設定値と第２の設定値の平均値を、バイアスパワーの下限値として決定し、前記上限値を求める処理における第３のステップにて、第１の設定値と第２の設定値の平均値を、バイアスパワーの上限値として決定し、前記下限値と上限値を所定比に内分した値を、最適なバイアスパワーとして決定する。
【００２６】
再生信号品質として、再生信号のエラーレート又はジッターを検出することができる。
【００２７】
また、再生品質が所定の不良条件を満たすセクタの検出結果を、記録パワーの決定のために用いる検出結果から除外してもよい。
【００２８】
また、所定のデータを記録する際に、前回に記録されたデータと異なるデータを各セクタに記録するようにしてもよい。
【００２９】
また、所定のデータを記録する際に、各セクタに記録されているデータを一旦消去した後に所定のデータを各セクタに記録するようにしてもよい。
【００３０】
本発明に係る装置は、スパイラル状に伸びて連結された複数のトラックを有し、各トラックは複数のセクタからなる光ディスクにデータを記録する光ディスク装置であって、データ記録時のレーザ出力パワーである記録パワーの値を複数設定する第１のステップを実行する設定手段と、各設定値の記録パワーで所定領域内の複数セクタに所定のデータを記録し、データ記録後の各セクタからデータを再生して各セクタ毎に再生信号の品質を検出する第２のステップを実行する記録・検出手段と、再生信号品質が所定の条件を満たすセクタが所定数以上得られるときの記録パワーの設定値のうち、再生信号品質が所定の条件を満たすセクタが所定数以上得られないときの記録パワーの設定値に最も近い記録パワーの設定値である第１の設定値と、再生信号品質が所定の条件を満たすセクタが所定数以上得られないときの記録パワーの設定値のうち、再生信号品質が所定の条件を満たすセクタが所定数以上得られるときの記録パワーの設定値に最も近い記録パワーの設定値である第２の設定値と、を求め、前記第１及び第２の設定値に基いて前記記録パワーを決定する第３のステップを実行する決定手段とを備え、前記決定手段は、前記記録パワーとして、ピークパワーを決定する場合、前記第３のステップにて、前記第１の設定値と前記第２の設定値の平均値に一定の割合を乗じることによりマージンを付加した値を、最適なピークパワーとして決定し、前記記録パワーとして、バイアスパワーを決定する場合、前記バイアスパワーの下限値と上限値のそれぞれを求める処理において、前記第１から第３のステップをそれぞれ実行し、前記下限値を求める処理における第３のステップにて、第１の設定値と第２の設定値の平均値を、バイアスパワーの下限値として決定し、前記上限値を求める処理における第３のステップにて、第１の設定値と第２の設定値の平均値を、バイアスパワーの上限値として決定し、前記下限値と上限値を所定比に内分した値を、最適なバイアスパワーとして決定する。
【００３１】
【発明の実施の形態】
以下本発明に係る光ディスク装置の実施の形態について、図面を参照しながら説明する。
【００３２】
（光ディスク装置の構成）
図１に本発明の実施の形態における相変化型光ディスク装置の構成を示す。光ディスク装置は光ディスク１０１に対してデータの記録、再生を行なう装置であって、図１に示すように、光ヘッド１０２、再生手段１０３、再生信号品質検出手段１０４、最適記録パワー決定手段１０５、記録手段１０６、レーザ駆動回路１０７及び記録パワー設定手段１０８を備える。
【００３３】
図２に光ディスク装置がデータの記録、再生を行なう光ディスク１０１のトラック構成図を示す。光ディスク１０１は溝状のトラック（グルーブトラック２０１）と溝間のトラック（ランドトラック２０２）の双方に記録領域を有し、前記グルーブトラック、ランドトラックが一周おきに交代することによって連続スパイラル状につながった光ディスクである。
【００３４】
（光ディスク装置の動作）
光ディスク装置は、光ディスク１０１が新たに光ディスク装置に装着された時点で、そのディスク１０１の所定領域に試し記録を行なうことにより、そのディスク１０１に対してデータ記録のために照射するレーザパワーの最適値を設定する。
【００３５】
このため、光ディスク１０１が光ディスク装置に装着され、ディスクタイプの識別や回転制御等の所定の動作の終了後、光ヘッド１０２は最適記録パワーを設定するための領域（照射パワー設定領域）に移動する。
【００３６】
なお前記領域（照射パワー設定領域）は、ディスクの最内周もしくは最外周に設けられた、ユーザがデータを記録するユーザ領域以外の記録領域である。
【００３７】
以下、記録時のパワーを決定する際の動作について説明する。
相変化型光ディスク装置では、決定するパワーとして、少なくともピークパワーとバイアスパワーがある。本実施の形態では、まずピークパワーの決定方法について説明し、後にバイアスパワーの決定方法について説明する。
【００３８】
まず、記録パワー設定手段１０８により、ピークパワーとバイアスパワーの初期値がレーザ駆動回路１０７に設定される。記録パワー設定手段１０８は種々の値の記録パワーを設定できる。このときランドトラックを記録する際のパワーとグルーブトラックを記録する際のパワーは等しい。
【００３９】
続いて記録手段１０６から、所定の位置よりランドトラック１周、グルーブトラック１周を連続して記録するための信号がレーザ駆動回路１０７に送られ、光ヘッド１０２により記録される。このとき光ヘッド１０２の構成要素である半導体レーザの出力光は光ディスク１０１上に光スポットとして集光され、発光波形に応じた記録マークが形成される。
【００４０】
記録が終わると、光ヘッド１０２の半導体レーザは再生パワーで発光し、さきほど記録を行ったトラックを再生し、再生信号として光ディスク１０１上の記録マークの有無により変化する信号１０９が再生手段１０３に入力される。再生信号１０９は再生手段１０３で、増幅、波形等化、２値化等の再生信号処理を受け、信号１１０が再生信号品質検出手段１０４に入力される。
【００４１】
再生信号品質検出手段１０４は信号１１０の信号品質を検出し、検出結果を最適記録パワー決定手段１０５に入力する。再生したランドトラックのセクタ数とグルーブトラックのセクタ数がほぼ等しいときには、このときの再生信号品質検出結果はランド、グルーブ両トラックの平均的な再生信号品質結果となる。
【００４２】
ここで再生信号品質検出手段１０４は、記録した信号を再生したときのＢＥＲ（バイトエラーレート）を検出する。図３にピークパワーとＢＥＲの関係を示す。図３において横軸がピークパワーであり、縦軸がＢＥＲである。再生条件が等しければ、一般にＢＥＲが小さいほど正確な記録が行われている。そこで各セクタ毎にＢＥＲを検出し、検出したＢＥＲが所定の閾値（以下「エラー数閾値」という。）以下となるとき、そのセクタを「ＯＫセクタ（良セクタ）」とし、検出したＢＥＲがエラー数閾値以上となるとき、そのセクタを「ＮＧセクタ（不良セクタ）」とする。
【００４３】
（ピークパワーの決定方法）
最適記録パワー決定手段１０５は例えば図４に示すフローチャートに従って最適記録パワーを決定する。
【００４４】
光ディスク１０１上の照射パワー設定領域へ光ヘッド１０２が移動し（Ｓ１１）、記録パワーの初期値が設定された（Ｓ１２）後、その記録パワーで光ディスク１０１上の照射パワー設定領域内の複数セクタにデータが記録され、続いて各セクタから記録データが再生される（Ｓ１３）。そのとき得られる再生信号の品質を判断することにより、そのときの記録パワーがデータ記録のために十分なパワーであるか否かを判断する。記録パワーを順次変化させていき、データ記録のために十分な記録パワーと不十分な記録パワーとの境界を捜し、その境界をまたぐ、２つの記録パワーを求める（Ｓ１４〜Ｓ１８）。そして、これらの境界の記録パワーが求まると、これらの値を平均し（Ｓ１９）、その平均値に一定の割合を乗じることによりマージンを付加し（Ｓ２０）、最適な記録パワーとする。
【００４５】
ここで、記録パワーがデータ記録のために十分な値か否かの判断は次の様にして行なう。すなわち、一つの記録パワーに対して、各セクタ毎に再生信号のＢＥＲを検出し、そのＢＥＲが所定値（エラー数閾値）以上となるセクタをＮＧセクタとし、このＮＧセクタの数をカウントする。そのＮＧセクタ数が、閾値（以下「セクタ閾値」という。）以上あるときに、その記録パワーはデータ記録のために不十分な値であるとし、セクタ閾値未満のときに十分であるとする。なお、以下の説明では、セクタ閾値は、試し記録を行う総セクタ数の半分の数としている。つまり、従来ではトラック単位でのＢＥＲに基いて、試し記録のレーザ出力パワーが十分であるか否かを判断していたのに対し、本実施形態では、複数のセクタ毎にＢＥＲを検出して各セクタ毎にＯＫ（良）かＮＧ（不良）かを判断し、ＮＧセクタ数が所定数（セクタ閾値）以上あるときに、そのときの記録パワーは不十分なパワーであると判断し、ＮＧセクタ数が所定数（セクタ閾値）未満であるときに、そのときの記録パワーは十分なパワーであると判断する。
【００４６】
例えば、再生信号品質検出手段１０４による１回目の検出結果において、照射パワー設定領域内の総セクタ数の半分以上のセクタがＮＧセクタならば（Ｓ１４でＹＥＳ）、初めのパワーよりも大きいピークパワーを設定し（Ｓ１８）、半分以上のセクタがＯＫセクタならば（Ｓ１４でＮＯ）、初めのパワーよりも小さいピークパワーを設定し（Ｓ１６）、設定されたピークパワーで前回と同様にランドトラック、グルーブトラックの記録、再生を行う（Ｓ１３）。
【００４７】
もし再生信号品質検出手段１０４の２回目の結果において半分以上のセクタがＯＫセクタであり（Ｓ１４でＮＯ）、１回目の結果において半分以上のセクタがＮＧセクタであれば（Ｓ１５でＹＥＳ）、最適記録パワー決定手段１０５は１回目のピークパワーと２回目のピークパワーの平均パワーに一定のマージンを上乗せしたパワーを最適記録パワーと決定する（Ｓ１９、Ｓ２０）。
【００４８】
もし再生信号品質検出手段１０４の２回目の結果において半分以上のセクタがＮＧセクタであり（Ｓ１４でＹＥＳ）、１回目の結果において半分以上のセクタがＯＫセクタであれば（Ｓ１７でＹＥＳ）、最適記録パワー決定手段１０５は１回目のピークパワーと２回目のピークパワーの平均パワーに一定のマージンを上乗せしたパワーを最適記録パワーと決定する（Ｓ１９、Ｓ２０）。
【００４９】
もし再生信号品質検出手段１０４の２回目の結果においてが半分以上のセクタがＯＫセクタであり（Ｓ１４でＮＯ）、１回目の結果においても半分以上のセクタがＯＫセクタであれば（Ｓ１５でＮＯ）、２回目に記録したピークパワーよりもさらに小さいパワーを設定し（Ｓ１６）、このピークパワーで記録、再生を行い、再生信号品質を検出する（Ｓ１３）。そして再生信号品質検出手段１０４の３回目の結果において半分以上のセクタがＮＧセクタであれば（Ｓ１４でＹＥＳ）、最適記録パワー決定手段１０５は２回目のピークパワーと３回目のピークパワーの平均パワーに一定のマージンを上乗せしたパワーを最適記録パワーと決定する（Ｓ１９、Ｓ２０）。
【００５０】
図５を参照し、最適記録パワーを設定するための境界の記録パワーの求め方を説明する。
【００５１】
図５は、記録パワーの設定値を変化させながら８個のセクタに記録を行い、再生信号のエラー数（ＢＥＲ）を測定したときの結果の一覧を示すテーブルを示した図である。図５において（ａ）は全てのセクタの表面上に指紋が付着していないときの結果、（ｂ）はセクタ０に指紋が付着しているときの結果、（ｃ）はセクタ０とセクタ１に指紋が付着しているときの結果である。なお、ここでは、従来の方法におけるトラックに対するエラー数の閾値を８０とし、本実施形態の方法における各セクタに対するエラー数閾値は、トラック全体に対するエラー数閾値（８０）を再生セクタ数（８）で除した値（１０）に設定している。
【００５２】
テーブルの右端には、エラー数（ＢＥＲ値）とＮＧセクタ数を示す。エラー数は各設定パワーにおけるエラーの合計である。ＮＧセクタ数は各セクタのエラー数閾値を１０としたときのＮＧセクタの合計である。従来のトラック単位でＢＥＲを求める方式では、各設定パワーにおけるエラーの合計を求める。このため、設定パワーがＰ０、Ｐ１、Ｐ２・・・と順に小さくなるにつれてエラー数は増加する。例えば図５（ａ）の例では、従来の方法（例えばエラー数閾値を８０とする）では、エラー数閾（８０）値前後のパワーとしてＰ３とＰ４（※で表示）が検出され、これらの記録パワーの値に基いて最適記録パワーが決定される。一方、本実施形態の方法では、各セクタ毎にエラー数閾値（１０）との比較を行い、ＮＧセクタ数が、セクタ閾値（４＝８÷２）を越える前後のパワーとして、Ｐ３とＰ４（※で表示）が検出され、これらの記録パワーの値に基いて最適記録パワーが決定される。
【００５３】
ここで図５（ａ）では、従来の方法でも本実施形態の方法でも設定される記録パワーは等しくなった。これは従来例におけるエラー数閾値（８０）をセクタ数（８）で割った値を本実施の形態の各セクタのエラー数閾値（１０）にし、さらに全セクタ数の半数（４）がＮＧセクタとなるパワーを検出していることに起因する。すなわち、検出したい記録パワー付近では各セクタのエラー数は、ほぼ従来例のエラー数閾値をセクタ数で割った値付近にあり、ほぼ全セクタの半分程度がエラー数閾値を越えていると考えられるからである。
【００５４】
セクタ０に指紋が付着している場合の図５（ｂ）では、エラー数がセクタ０によって増大するので、従来の方法では、エラー数が閾値（８０）の前後のパワーはＰ２とＰ３であり、指紋が付着していないとき（（ａ）の場合）に比べて高めの記録パワーが設定されることになる。これに対し、本実施形態の方法では指紋が付着していないときと同じ記録パワーが設定される。また、セクタ０とセクタ１に指紋が付着している場合の図５（ｃ）では、エラー数がセクタ０、セクタ１によって増大するので、従来の方法ではエラー数が閾値（８０）の前後のパワーはＰ１、Ｐ２であり、指紋がセクタ０のみに付着しているとき（（ｂ）の場合）に比べてさらに高めの記録パワーが設定される。これに対し、本実施形態の方法では指紋が付着していないとき（（ａ）の場合）と同じ記録パワーが設定される。
【００５５】
すなわち、従来の方法では、トラック単位のエラー数の合計を考慮しているので、指紋が付着してエラー数が大きくなればなるほど、本来の設定値に対する、設定される記録パワーのずれが大きくなる。これに対し、本実施の形態ではセクタ毎に「ＮＧ」か「ＯＫ」かを判断するので、例えば図５（ｂ）ではセクタ０を除いた７セクタ中の３個のセクタが記録特性により「ＮＧ」となる記録パワーを求めていることになり、また、図５（ｃ）では、セクタ０とセクタ１を除いた６セクタ中の２個のセクタが記録特性により「ＮＧ」となる記録パワーを求めていることになるので、実質的に指紋の付着したセクタを除外することと等しくなり、指紋の影響を制限することができる。なお、図５では再生するセクタ数を８セクタとして説明したが、セクタ数は多いほど指紋等の影響は小さく、例えば１６セクタ以上の場合には、設定される記録パワーはほとんど指紋の影響を受けない。
【００５６】
以上のように、ユーザデータの記録に先立って複数のセクタに試し記録を行う際に、記録したセクタ毎に再生信号品質を検出し、再生信号品質を示すエラー数（ＢＥＲ）が閾値以下となるとき、そのセクタをＯＫセクタとし、閾値以上となるとき、そのセクタをＮＧセクタとする。そして、ＮＧセクタ数が所定数以上から所定数未満に変化する、又は、ＯＫセクタ数が所定数以上から所定数未満に変化する境界の記録パワーを見つけ出し、その記録パワーに基いて、実際にデータを記録する際の記録パワーを決定する。これにより、試し記録を行うトラック領域に指紋や傷が付着していても、最適なパワーを求めることができる。
【００５７】
なお、セクタ毎のエラー数（ＢＥＲ）の検出結果に基き、不良の状態が他のセクタに比して特に悪いと考えられるセクタは、記録パワーの決定に使用するには不適であると考えられるため、予めＮＧセクタから除外してもよい。
【００５８】
例えば、セクタ毎のエラー数（ＢＥＲ）を検出した際に、最小のエラー数を有するセクタのエラー数と比較して、エラー数が所定数（例えば３０）以上多いセクタがあったときは、そのセクタの数をＮＧセクタ数から除外してもよい。このとき、セクタ数閾値は、除外したセクタ数を再生した全セクタ数から減算し、それを２で除した値に設定する。エラー数が比較的多いセクタは指紋等が付着していると考えられ、記録パワーの決定に使用するには不適であるため、これを除外することによってより正確に記録パワーを求めることができる。
【００５９】
例えば、図５（ｃ）において、Ｐ０のパワーに対し、セクタ０とセクタ１は他のセクタより３０個エラーが多いので、この２つのセクタをＮＧセクタから除き、８セクタから２セクタを引いた６セクタを２で割った値である３をセクタ数閾値とする。このようにしても、図５（ａ）と同様にＰ３とＰ４が最適記録パワーを求めるための境界のパワーとして検出される。
【００６０】
また、記録パワーを変えながらセクタ毎のＢＥＲを検出した際に、所定回数以上（例えば２回以上）、エラー数が最大となるセクタがあったときに、そのセクタをＮＧセクタから除いてもよい。このとき、再生したセクタ数から、除いたセクタの数を引いたセクタ数を２で除した値をセクタ数閾値とする。これによっても、より正確に記録パワーを求めることができる。
【００６１】
例えば、図５（ｂ）において、Ｐ０とＰ１のパワーでセクタ０は他のセクタよりエラーが多いので、このセクタをＮＧセクタから除き、８セクタから１セクタを引いた７セクタを２で割った値である３．５をセクタ数閾値とする。このようにしても、図５（ａ）と同様にＰ３とＰ４が最適記録パワーを求めるための境界のパワーとして検出される。
【００６２】
同様に、記録パワーを変えながらセクタ毎のＢＥＲを検出した際に、所定回数以上（例えば２回以上）、所定順位以下（エラー数の少ないセクタから順番に並べるとする）となるセクタがあったときに、そのセクタをＮＧセクタ数から除いてもよい。
【００６３】
例えば、図５（ｃ）において、Ｐ０とＰ１のパワーでセクタ０とセクタ１はエラー数において最下位なので、このセクタをＮＧセクタから除き、８セクタから２セクタを引いた６セクタを２で割った値である３をセクタ数閾値とする。このようにしても、図５（ａ）と同様にＰ３とＰ４が最適記録パワーを求めるための境界のパワーとして検出される。
【００６４】
なお、本実施の形態では、セクタ数閾値は再生セクタ数の半分としているが、指紋等の影響を除き正しい記録パワーを求めることができるのであれば、セクタ数閾値は他の方法で決めても良い。
【００６５】
また、前述の説明では、各セクタに対するエラー数閾値をトラック全体に対するエラー数閾値を再生セクタ数で除した値に設定したが、指紋等の影響を除き正しい記録パワーを求めることができるのであれば、各セクタのエラー数閾値は他の方法で決めても良い。
【００６６】
（バイアスパワーの決定方法）
次にバイアスパワーの決定方法について説明する。
バイアスパワーはピークパワーに比べてユーザデータの記録が可能なパワーのマージンが狭く、例えばピークパワーのマージンが９ｍＷ〜１５ｍＷと６ｍＷ程度あっても、バイアスパワーのマージンは３ｍＷ〜６ｍＷと３ｍＷ程度しかない。
【００６７】
従って本実施の形態では、バイアスパワーの最適値を求めるために、ユーザデータの記録が可能なバイアスパワーの下限値と上限値を求めてから、演算により下限値と上限値の間にある最適値を求める。
【００６８】
まず記録パワー設定手段１０８により、例えばバイアスパワーの下限値を求めるためにピークパワー、バイアスパワーの初期値がレーザ駆動回路１０７に設定される。このときランドトラックを記録する際のパワーとグルーブトラックを記録する際のパワーは等しい。
【００６９】
続いて記録手段１０６から、光ディスク１０１上の所定の位置よりランドトラック１周、グルーブトラック１周を連続して記録するための信号がレーザ駆動回路１０７に送られ、光ヘッド１０２により光ディスク１０１上にデータが記録される。このとき光ヘッド１０２の構成要素である半導体レーザの出力光は光ディスク１０１上に光スポットとして集光され、発光波形に応じた記録マークが光ディスク１０１上に形成される。
【００７０】
記録が終わると、光ヘッド１０２の半導体レーザは再生パワーで発光し、さきほど記録を行ったトラックを再生し、再生信号として光ディスク１０１上の記録マークの有無により変化する信号（再生信号）１０９が再生手段１０３に入力される。再生信号１０９は再生手段１０３で、増幅、波形等化、２値化等の再生信号処理を受け、信号１１０が再生信号品質検出手段１０４に入力される。
【００７１】
ここで再生信号品質検出手段１０４は、記録した信号を再生したときのＢＥＲ（バイトエラーレート）を検出する。図６に、あるセクタにおけるバイアスパワーとＢＥＲの関係を示す。図６において横軸がバイアスパワーであり、縦軸がＢＥＲである。再生条件が等しければ、一般にＢＥＲが小さいほど正確な記録が行われている。そこで各セクタ毎にＢＥＲを検出し、検出したＢＥＲと所定の閾値（エラー数閾値）とを比較し、検出したＢＥＲがエラー数閾値以下となるとき、そのセクタをＯＫセクタとし、エラー数閾値以上となるとき、そのセクタをＮＧセクタとする。
【００７２】
最適記録パワー決定手段１０５は例えば図７に示すフローチャートに従って最適バイアスパワーを決定する。
【００７３】
図７のフローチャートにおいて、ステップＳ４１からステップＳ４９までにおいては下限値を求め、ステップＳ５０からステップＳ５７までにおいては上限値を求めている。上記のステップにおいて上限値及び下限値を求める処理は前述の図４のフローチャートの処理と基本的に同様である。
【００７４】
例えば、バイアスパワーの下限値を求める際に、再生信号品質検出手段１０４の１回目の結果において、半分以上のセクタがＮＧセクタならば（Ｓ４４でＹＥＳ）、初めのパワーよりも大きいバイアスパワーを設定し（Ｓ４８）、半分以上のセクタがＯＫセクタならば（Ｓ４４でＮＯ）、初めのパワーよりも小さいバイアスパワーを設定し（Ｓ４６）、設定されたバイアスパワーで前回と同様にランドトラック、グルーブトラックの記録、再生を行う（Ｓ４３）。
【００７５】
もし再生信号品質検出手段１０４の２回目の結果において半分以上のセクタがＯＫセクタであり（Ｓ４４でＮＯ）、１回目の結果において半分以上のセクタがＮＧセクタであれば（Ｓ４５でＹＥＳ）、最適記録パワー決定手段１０５は今回のバイアスパワーと前回のバイアスパワーの平均を下限値として決定する（Ｓ４９）。
【００７６】
もし再生信号品質検出手段１０４の２回目の結果において半分以上のセクタがＮＧセクタであり（Ｓ４４でＹＥＳ）、１回目の結果において半分以上のセクタがＯＫセクタであれば（Ｓ４７でＹＥＳ）、最適記録パワー決定手段１０５は今回のバイアスパワーと前回のバイアスパワーの平均パワーを下限値として決定する（Ｓ４９）。
【００７７】
もし再生信号品質検出手段１０４の２回目の結果において半分以上のセクタがＯＫセクタであり（Ｓ４４でＮＯ）、１回目の結果において半分以上のセクタがＯＫセクタであれば（Ｓ４５でＮＯ）、２回目に記録したバイアスパワーよりもさらに小さいパワーを設定し（Ｓ４６）、このバイアスパワーで記録、再生を行い、再生信号品質を検出する（Ｓ４３）。そして再生信号品質検出手段１０４の３回目の結果において半分以上のセクタがＮＧセクタであれば（Ｓ４４でＹＥＳ）、最適記録パワー決定手段１０５は今回のパワーと前回のパワーの平均パワーを下限値と決定する（Ｓ４９）。
【００７８】
上限値についても同様に求め（Ｓ５０〜Ｓ５７）、最適記録パワー決定手段１０５は例えば下限値と上限値の平均値を最適バイアスパワーとして決定する（Ｓ５８）。
【００７９】
バイアスパワーの決定においても、複数のセクタに試し記録を行い、記録したセクタ毎に再生信号品質を検出し、エラー数がエラー数閾値以下となるとき、そのセクタをＯＫセクタとし、エラー数閾値以上となるとき、そのセクタをＮＧセクタとして、所定数以上のセクタがＮＧセクタからＯＫセクタに変化する、もしくはＯＫセクタからＮＧセクタに変化する境界の記録パワーを見つけ出し、この境界の記録パワーを用いて実際にデータを記録する際の記録パワーを決定することにより、試し記録を行うトラックに指紋や傷が付着していても、最適なパワーを求めることができる。
【００８０】
なお、下限値、上限値を求める際に、上限値を求める際のバイアスパワーの初期値を下限値を求める際のバイアスパワーの初期値より大きくする、すなわち両者の初期のバイアスパワーに差をつけて各々の限界に近い値からスタートすることによって、より短時間にバイアスパワーの最適化を行うことができる。
【００８１】
また、本実施の形態では、下限値と上限値の平均値を最適バイアスパワーと決定しているが、例えばディスクの反り等により、実際にユーザデータを記録する場所で、設定した最適パワーに対して実効パワーが非常に小さくなる可能性がある場合には、例えば下限値と上限値を２：１に内分する値を最適パワーとしても良い。下限値と上限値を２：１に内分した値を最適パワーとすることにより、低パワー側のマージンが大きくなる。
【００８２】
（その他の考え得る態様）
本実施の形態では、再生信号品質検出手段１０４は記録した信号を再生したときのＢＥＲ（バイトエラーレート）を検出するとしたが、この際に規定数以上連続して発生するエラーをエラーとしてカウントしなければ、傷等の記録不良の領域が局所的に存在してもそれらを除くことができ、より正確に最適パワーを決定することができる。
【００８３】
また、本実施の形態では、再生信号品質検出手段１０４は記録した信号を再生したときのＢＥＲを検出するとしたが、ＢＥＲ以外でも再生信号品質を検出できるのであればビットエラーレートやジッター等でもよい。
【００８４】
例えば、再生信号品質としてジッターを検出する場合を説明する。図８にピークパワーとジッターの関係を示す。図８において横軸がピークパワーであり、縦軸がジッターである。また図９にバイアスパワーとジッターの関係を示す。図９において横軸がバイアスパワーであり、縦軸がジッターである。ジッターとは再生信号と原信号の間の時間的なずれのことであり、レーザ光の照射パワー不足による再生信号振幅の低下等により発生し、再生信号振幅が増加すると減少し、再生信号振幅が飽和するとジッター量もほぼ一定となる。すなわち再生条件が等しければ、一般にジッターが小さいほど正確な記録が行われている。そこで、あるセクタのジッターが閾値未満となるとき、そのセクタをＯＫセクタとし、閾値以上となるときにそのセクタをＮＧセクタとする。
【００８５】
また、本実施の形態の形態では、連続記録、連続再生の区間としてランドトラック１周、グルーブトラック１周としているが、ブロック単位の記録を行う光ディスク装置においてはブロック単位の記録でも良い。
【００８６】
同様に本実施の形態では、連続記録、連続再生の区間としてランドトラック１周、グルーブトラック１周としているが、セクタ単位の記録を行う光ディスク装置においてはセクタ単位の記録でも良い。
【００８７】
また、本実施の形態では、連続記録、連続再生の区間としてランドトラック１周、グルーブトラック１周としているが、ランドトラック２周以上、グルーブトラック２周以上の記録、再生を行ってもかまわない。両トラック２周以上の記録、再生を行うことによりトラックのばらつきを吸収してより正確に最適パワーを決定することができる。
【００８８】
同様にブロック単位の記録を行う場合でも、ランドトラック２ブロック以上、グルーブトラック２ブロック以上の記録、再生を行ってもかまわない。両トラック２ブロック以上の記録、再生を行うことによりブロック間のばらつきを吸収してより正確に最適パワーを決定することができる。
【００８９】
さらに２ブロック以上の連続記録、連続再生を行う際に、再生信号品質検出手段１０４の結果の最悪ブロックの値を採用しなければ、傷等の記録不良のブロックが存在してもそのブロックを除くことができ、より正確に最適パワーを決定することができる。
【００９０】
なお、再生信号品質を検出するための記録の前に、前記記録を行う際の記録信号とは異なるパターンの信号を記録しても良い。異なるパターンの信号を記録することにより、記録領域に残留する前回記録した信号の成分を小さくし、例えば前回より低いパワーで記録し、十分な記録ができなかった場合でも誤って前回に記録した信号を再生することがなくなり、パワーの最適化をより正確に実施することができる。
【００９１】
また、再生信号品質を検出するための毎回の連続記録の前に、バイアスパワーのみで前記連続記録を行う領域に記録しても良い。バイアスパワーのみで記録を行うことにより、前記領域に残留する前回記録した信号の成分を小さくし（すなわち、消去し）、例えば前回より低いパワーで記録し、十分な記録ができなかった場合でも誤って前回に記録した信号を再生することがなくなり、パワーの最適化をより正確に実施することができる。
【００９２】
また、本実施の形態の再生信号品質検出手段１０４は、ランドトラック、グルーブトラックを区別することなく、セクタ毎に判定を行っているが、ランドトラック、グルーブトラックを区別して、セクタ毎の判定を行っても良い。ランドトラック、グルーブトラックを区別することにより、両トラックの記録特性が異なる場合にはそれぞれに適した記録パワーを決定することができる。
【００９３】
また、ランドトラック、グルーブトラックを区別して再生することにより、一方のトラックの記録パワーが決定した後は他方を再生する必要がなくなり、記録パワー決定のための時間を節約することができる。
【００９４】
また、本実施の形態の記録パワー設定手段１０８は、ランドトラック、グルーブトラックを区別することなく記録パワーを設定するが、ランドトラック、グルーブトラックを区別して、記録パワーを設定しても良い。ランドトラック、グルーブトラックを区別することにより、両トラックの記録特性が異なる場合にはそれぞれに適した記録パワーを初期の設定パワーとすることにより、記録パワーを設定する回数を減らすことができるとともに、一方のトラックの記録パワーが決定した後は他方を記録する必要がなくなり、記録パワー決定のための時間を節約することができるとともに、繰り返し記録による劣化を低減することができる。
【００９５】
また、本実施の形態では、ランドトラックとグルーブトラックの両方に記録可能な光ディスクについて述べたが、片方のトラックのみ記録する光ディスクについても同様である。
【００９６】
【発明の効果】
以上のように本実施の形態の光ディスク装置により、ユーザデータの記録に先立って、複数のセクタに試し記録を行い、記録したセクタ毎に再生信号品質を検出し、ある閾値に対してそれ以下となるとき、そのセクタをＯＫセクタとし、ある閾値に対してそれ以上となるとき、そのセクタをＮＧセクタとする。このとき、ＮＧセクタの数が所定数以上から所定数未満に変化する、又は、ＮＧセクタの数が所定数未満から所定数以上に変化するところの境界の記録パワーを見つけ出して、この境界の記録パワーを用いて実際にデータを記録する際の記録パワーを決定することにより、試し記録を行うトラックに指紋が付着しているときでも、精度よくデータ記録に好適な記録パワーを求めることができる。
【図面の簡単な説明】
【図１】  本発明に係る光ディスク装置のブロック図。
【図２】  本発明に係る光ディスク装置に用いる光ディスクのトラック構成を示した図。
【図３】  ピークパワーとＢＥＲ（バイトエラーレート）の関係を説明した図。
【図４】  本発明に係る光ディスク装置におけるピークパワーの決定方法を示すフローチャート。
【図５】  最適な記録パワーの決定に用いる２つの境界の記録パワーを決定する方法を説明するための図。
【図６】  バイアスパワーとＢＥＲの関係を説明した図。
【図７】  本発明に係る光ディスク装置におけるバイアスパワーの決定方法を示すフローチャート。
【図８】  ピークパワーとジッターの関係を説明した図。
【図９】  バイアスパワーとジッターの関係を説明した図。
【図１０】  従来技術における光ディスク装置のブロック図。
【図１１】  光ディスクのトラック構成を示した図。
【図１２】  ピークパワーとＢＥＲの関係を説明した図。
【図１３】  従来技術における光ディスク装置の記録パワーの決定方法を示すフローチャート。
【符号の説明】
１０１  光ディスク
１０２  光ヘッド
１０３  再生手段
１０４  再生信号品質検出手段
１０５  最適記録パワー決定手段
１０６  記録手段
１０７  レーザ駆動回路
１０８  記録パワー設定手段
【図１】
0004436986.tif 000002
【図２】
0004436986.tif 000003
【図３】
0004436986.tif 000004
【図４】
0004436986.tif 000005
【図５】
0004436986.tif 000006
【図６】
0004436986.tif 000007
【図７】
0004436986.tif 000008
【図８】
0004436986.tif 000009
【図９】
0004436986.tif 000010
【図１０】
0004436986.tif 000011
【図１１】
0004436986.tif 000012
【図１２】
0004436986.tif 000013
【図１３】
0004436986.tif 000014